(57)【要約】【課題】  広告媒体、例えば、店の前に置く広告シートや幕状看板では、種々の印刷を施して、商品や店のイメージアップを図ったり、新製品の紹介を行なっている。このような看板においては、まずそれを見てもらわなければならないため人目を引くことが第１に求められる。そこで、本分野では安価で、ランニングコストの不要な、かつ大きなインパクトのあるものが望まれていた。【解決手段】  ポリプロピレン製の立体シートのレンズ側にポリプロピレン用印刷プライマーをコーティングし、その上にインク受容層を形成し、さらにその上からインクジェットプリンターで表面印刷するもの。【選択図】  図１
2012081680.tif 000002
【特許請求の範囲】
【請求項１】
ポリプロピレン製の立体シートのレンズ側にポリプロピレン用印刷プライマーをコーティングし、その上にインク受容層を形成し、さらにその上からインクジェットプリンターで表面印刷することを特徴とする立体媒体への印刷方法。
【請求項２】
インクジェットプリンターで表面印刷する部分に、予め隠蔽用下地印刷を施すものである請求項１記載の立体媒体への印刷方法。
【発明の詳細な説明】
【技術分野】
【０００１】
本発明は、立体媒体への印刷方法に関するものである。
【背景技術】
【０００２】
立体媒体とは、プラスチックシートであって、目の錯覚によってその厚み以上に厚く見えるシートを言う。
【０００３】
広告媒体、例えば、店の前に置く広告シートや幕状看板では、種々の印刷を施して、商品や店のイメージアップを図ったり、新製品の紹介を行なっている。このような看板においては、まずそれを見てもらわなければならないため人目を引くことが第１に求められる。
そのため、照明を付けたり、それを点滅させたり、音を発したり種々の工夫がなされている。
【０００４】
このような大掛かりなものは当然効果も大きいが、費用がかかり、簡単に交換もできない。安価で大きな効果を挙げたいのである。
【発明の概要】
【発明が解決しようとする課題】
【０００５】
そこで、本分野では安価で、ランニングコストの不要な、かつ大きなインパクトのあるものが望まれていた。
【課題を解決するための手段】
【０００６】
以上のような現状に鑑み、本発明者は鋭意研究の結果本発明立体媒体への印刷方法を完成したものであり、その特徴とするところは、ポリプロピレン製の立体シートのレンズ側にポリプロピレン用印刷プライマーをコーティングし、その上にインク受容層を形成し、さらにその上からインクジェットプリンターで表面印刷する点にある。
【０００７】
ここで、立体シートとは、１枚の薄いシート（例えば、０．２〜１ｍｍ程度）であるにもかかわらず、奥行きが感じられ半透明の厚い（５〜１０ｍｍ程度の）シートのように見えるものをいう。
このようなシートの１例としては、透明プラスチックシートの１面に、多数のレンズ（半球のような突状体：直径０．０５〜０．２ｍｍ、高さ０．０３〜０．２ｍｍ程度）を形成し、他面に底部として見える凹凸又は薄い底部印刷を施したものがある。また表裏両方にレンズがあるものもある。
この多数のレンズは規則正しく整列している。
【０００８】
このような立体シートは通常はレンズと反対側に印刷を施し、レンズ側から見ることによって奥行きが感じられるのである。
【０００９】
本発明でいう立体シートはポリプロピレン製である。これは安価であり製造が容易なためである。
【００１０】
ポリプロピレン製の立体シートのレンズ側にポリプロピレン用印刷プライマーをコーティングする。これは、ポリプロピレンはそのままでは印刷が難しいためである。このプライマーとしては、塩素化ポリプロピレン等市販のものでよい。
【００１１】
レンズ側にプライマーをコーティングし、その上にインク受容層を形成する。これは、インクの吸収性を高めるためであり、通常のものでよい。例えば、ポリビニルアルコール系、タンパク質系、その他の樹脂系のものである。
要するに接着性がよく、水性インクとの親和性がよいものがよい。
【００１２】
この受容層の上に印刷を施すのである。印刷は、文字、模様その他どのようなものでもよい。この印刷はレンズ側から見るため、そのように印刷する必要がある。通常は見る側と反対側（裏面）に印刷し、レンズを通して印刷物を見るが、本発明では逆である。
【００１３】
このレンズ側に表面印刷を施し、その印刷面側から見るため、印刷物はまったく立体には見えない。通常の印刷物である。しかし、その印刷面以外の部分は、厚く見える、即ち半透明で厚いシートとして厚みのある底の部分が離れてみえるのである。この底の部分は前記した凹凸や薄い底部印刷が半透明で見えている。
【００１４】
表面印刷は、インクジェットプリンターで行なう。これはどの会社でも、家庭でも有しているもので、簡単に印刷できるためである。今までの立体印刷はシートとシートの間に印刷を施す、それもオフセット印刷でなければならない等簡単にはできなかった。
【発明の効果】
【００１５】
本発明には、次のような大きな利点がある。
（１）  レンズ側に印刷するため、逆印刷等やフィルム中間位置への印刷等の難しさがない。
（２）  どこの会社や家庭でもあるインクジェットプリンターで簡単に印刷ができる。
（３）  簡単であるにもかかわらず、立体シートであることによるインパクトは大きい。
（４）  パンフレットや看板に最適である。
【図面の簡単な説明】
【００１６】
【図１】本発明方法によって印刷した媒体の断面図である。
【発明を実施するための形態】
【００１７】
以下好適な実施例に基づいて本発明をより詳細に説明する。
【実施例１】
【００１８】
図１は、本発明印刷方法の１例を示す概略断面図である。図１（ａ）は、立体シート１の断面図である。この図でいうと、上側が表であり人間が見る側である。表側にレンズが多数構成されている。これらのレンズは通常はシートと一体的に成型される。裏面にも凹凸が前面的に構成されている。これが、レンズを通して右目と左目に違うものを見せ、それによって奥のほうにそれがあるように錯覚するのである。そのため、シートが厚く認識されるのである。
【００１９】
この表側に透明のポリプロピレン用印刷プライマー２を塗布する。これは印刷インクの接着性の向上のためである。プライマー自体は塩素化ポリプロピレンのようなものでよく、市販されているもの、新たなもの等どのようなものでもよい。プライマーの塗布厚みは通常通りでよい。
次いで、その上にインク受容層（透明又は半透明）を形成する（インク受容層となる樹脂等を塗布する）。インクの吸収を容易にしにじみ防止等のためである。図では受容層は省略している。
これらは、印刷特性の向上のためであり、印刷会社や専門のところでなくとも、簡単に印刷できるようにするためのものである。
【００２０】
受容層を形成（コーティング）した後は、インクジェットプリンターで表面印刷３するだけである。表面印刷とは、本発明立体媒体で表現する主目的のものであり文字や模様その他である。
この表面印刷は、薄い場合、透けて底部（奥の深い底部のように見える部分）が見える場合がある。それによって、全体としてより厚みが強調されることになる。
透けているため表面印刷は全面印刷も可能である。
【００２１】
また、表面印刷が透けるのを防止したい場合には、表面印刷の部分に下地印刷（隠蔽率の大きい白色印刷等）を施してもよい。
印刷部が透けていないため、全面印刷すると立体感がなくなるため、部分印刷となる。例えば、全面積の２０〜５０％を印刷する等である。
【符号の説明】
【００２２】
１  立体シート
２  プライマー
３  表面印刷
【図１】
2012081680.tif 000003